(57)【要約】【課題】情報の送受信に係る時間間隔が一定の場合と比較して消費電力を抑制することができる情報処理装置及び情報処理プログラムを提供する。【解決手段】ユーザ端末装置４は、設定された時間間隔で外部と通信することにより自装置の位置を示す位置情報３ａを取得する位置情報取得手段４０２と、領域ごとに時間間隔の情報を記憶する記憶する記憶部４１と、位置情報取得手段４０２が通信する時間間隔を、記憶部４１の記憶内容を参照して取得され位置情報が対応する領域に応じた時間間隔に変更して設定する時間間隔設定手段４０５とを備える。【選択図】図１
2018026637.tif 000002
【特許請求の範囲】
【請求項１】
設定された時間間隔で外部と通信することにより自装置の位置を示す位置情報を取得する取得手段と、
領域ごとに時間間隔の情報を記憶する記憶手段と、
前記取得手段が通信する前記時間間隔を、前記記憶手段の記憶内容を参照して取得され前記位置情報が対応する前記領域に応じた前記時間間隔に変更して設定する設定手段と、
を備えた情報処理装置。
【請求項２】
前記記憶手段は、自装置の移動に関する情報及び前記領域ごとに前記時間間隔の情報を記憶し、
前記設定手段は、前記取得手段が通信する前記時間間隔を、前記記憶手段の記憶内容を参照して前記自装置の移動に関する情報及び前記位置情報に基づいて変更する、
請求項１に記載の情報処理装置。
【請求項３】
前記自装置の移動に関する情報は、加速度であり、
自装置に作用する加速度を設定された時間間隔で取得する加速度取得手段をさらに備え、
前記設定手段は、前記取得手段が通信する前記時間間隔及び前記加速度取得手段が取得する前記時間間隔を、取得された前記加速度及び前記位置情報に基づいて変更する、
請求項２に記載の情報処理装置。
【請求項４】
前記自装置の移動に関する情報は、速度であり、
前記設定手段は、単位時間当たりに取得した２つの前記位置情報に基づいて求められた前記速度及び前記位置情報に基づいて変更する、
請求項２に記載の情報処理装置。
【請求項５】
前記記憶手段は、前記領域ごとに前記領域の属性に基づいて定められた前記時間間隔の情報を記憶する、
請求項１から４のいずれか１項に記載の情報処理装置。
【請求項６】
領域ごとに配置された発信機から送信される発信機識別情報を含む信号を設定された時間間隔で受信する受信手段と、
前記信号に含まれる前記発信機識別情報、及び前記信号の強度に関する情報を含む情報を設定された時間間隔で外部に送信する送信手段と、
設定された時間間隔で前記外部と通信することにより自装置の位置を示す位置情報を取得する取得手段と、
前記領域ごとに時間間隔の情報を記憶する記憶手段と、
前記受信手段が受信する前記時間間隔、前記送信手段が送信する前記時間間隔、及び前記取得手段が通信する前記時間間隔を、前記記憶手段の記憶内容を参照して取得された前記位置情報が対応する前記領域に応じた前記時間間隔に変更して設定する設定手段と、
を備えた情報処理装置。
【請求項７】
前記記憶手段は、加速度及び前記領域ごとに前記時間間隔の情報を記憶し、
自装置に作用する前記加速度を設定された時間間隔で取得する加速度取得手段をさらに備え、
前記設定手段は、前記受信手段が受信する前記時間間隔、前記送信手段が送信する前記時間間隔、及び前記取得手段が通信する前記時間間隔、及び前記加速度取得手段が取得する前記時間間隔を、前記記憶手段の記憶内容を参照して取得された前記加速度及び前記位置情報に基づいて変更する、
請求項６に記載の情報処理装置。
【請求項８】
コンピュータを、
設定された時間間隔で外部と通信することにより自装置の位置を示す位置情報を取得する取得手段と、
前記取得手段の前記時間間隔を、領域ごとに定められた時間間隔の情報を参照して取得された前記位置情報が対応する前記領域に応じた前記時間間隔に変更して設定する設定手段として機能させるための情報処理プログラム。
【請求項９】
コンピュータを、
設定された時間間隔で端末装置から送信される要求信号に応じて前記端末装置の位置を示す位置情報を前記端末装置に送信する送信手段と、
前記要求信号が送信さる前記時間間隔を、領域ごとに定められた時間間隔の情報を参照して前記位置情報が対応する前記領域に応じた前記時間間隔に変更する指令信号を前記端末装置に送信する設定手段として機能させるための情報処理プログラム。
【発明の詳細な説明】
【技術分野】
【０００１】
本発明は、情報処理装置及び情報処理プログラムに関する。
【背景技術】
【０００２】
近年、ビーコン信号を用いてユーザが携帯する携帯端末（ユーザ端末装置）の位置を特定する無線テレメータシステムが提案されている（例えば、特許文献１参照）。
【０００３】
この無線テレメータシステムは、ユーザが携帯する携帯端末が、複数の無線子機から送信されるビーコン信号を受信した場合、受信したビーコン信号の信号強度に基づき、自機から最も距離が近い無線子機を特定し、ホストコンピュータ（サーバ装置）が、携帯端末により特定された無線子機の情報を取得することにより、携帯端末の位置情報を追跡できるように構成されている。
【先行技術文献】
【特許文献】
【０００４】
【特許文献１】特開２０１６−１１１４３６号公報
【発明の概要】
【発明が解決しようとする課題】
【０００５】
ユーザ端末装置からサーバ装置にアクセスする頻度が高いと、ユーザ端末装置の位置を精度良く特定することができるが、携帯端末の消費電力が多くなる。
【０００６】
本発明の目的は、情報の送受信に係る時間間隔が一定の場合と比較して消費電力を抑制することができる情報処理装置及び情報処理プログラムを提供することにある。
【課題を解決するための手段】
【０００７】
［１］設定された時間間隔で外部と通信することにより自装置の位置を示す位置情報を取得する取得手段と、
領域ごとに時間間隔の情報を記憶する記憶手段と、
前記取得手段が通信する前記時間間隔を、前記記憶手段の記憶内容を参照して取得され前記位置情報が対応する前記領域に応じた前記時間間隔に変更して設定する設定手段と、を備えた情報処理装置。
［２］前記記憶手段は、自装置の移動に関する情報及び前記領域ごとに前記時間間隔の情報を記憶し、
前記設定手段は、前記取得手段が通信する前記時間間隔を、前記記憶手段の記憶内容を参照して前記自装置の移動に関する情報及び前記位置情報に基づいて変更する、前記［１］に記載の情報処理装置。
［３］前記自装置の移動に関する情報は、加速度であり、
自装置に作用する加速度を設定された時間間隔で取得する加速度取得手段をさらに備え、
前記設定手段は、前記取得手段が通信する前記時間間隔及び前記加速度取得手段が取得する前記時間間隔を、取得された前記加速度及び前記位置情報に基づいて変更する、前記［２］に記載の情報処理装置。
［４］前記自装置の移動に関する情報は、速度であり、
前記設定手段は、単位時間当たりに取得した２つの前記位置情報に基づいて求められた前記速度及び前記位置情報に基づいて変更する、前記［２］に記載の情報処理装置。
［５］前記記憶手段は、前記領域ごとに前記領域の属性に基づいて定められた前記時間間隔の情報を記憶する、前記［１］から［４］のいずれかに記載の情報処理装置。
［６］領域ごとに配置された発信機から送信される発信機識別情報を含む信号を設定された時間間隔で受信する受信手段と、
前記信号に含まれる前記発信機識別情報、及び前記信号の強度に関する情報を含む情報を設定された時間間隔で外部に送信する送信手段と、
設定された時間間隔で前記外部と通信することにより自装置の位置を示す位置情報を取得する取得手段と、
前記領域ごとに時間間隔の情報を記憶する記憶手段と、
前記受信手段が受信する前記時間間隔、前記送信手段が送信する前記時間間隔、及び前記取得手段が通信する前記時間間隔を、前記記憶手段の記憶内容を参照して取得された前記位置情報が対応する前記領域に応じた前記時間間隔に変更して設定する設定手段と、を備えた情報処理装置。
［７］前記記憶手段は、加速度及び前記領域ごとに前記時間間隔の情報を記憶し、
自装置に作用する前記加速度を設定された時間間隔で取得する加速度取得手段をさらに備え、
前記設定手段は、前記受信手段が受信する前記時間間隔、前記送信手段が送信する前記時間間隔、及び前記取得手段が通信する前記時間間隔、及び前記加速度取得手段が取得する前記時間間隔を、前記記憶手段の記憶内容を参照して取得された前記加速度及び前記位置情報に基づいて変更する、前記［６］に記載の情報処理装置。
［８］コンピュータを、
設定された時間間隔で外部と通信することにより自装置の位置を示す位置情報を取得する取得手段と、
前記取得手段の前記時間間隔を、領域ごとに定められた時間間隔の情報を参照して取得された前記位置情報が対応する前記領域に応じた前記時間間隔に変更して設定する設定手段として機能させるための情報処理プログラム。
［９］コンピュータを、
設定された時間間隔で端末装置から送信される要求信号に応じて前記端末装置の位置を示す位置情報を前記端末装置に送信する送信手段と、
前記要求信号が送信さる前記時間間隔を、領域ごとに定められた時間間隔の情報を参照して前記位置情報が対応する前記領域に応じた前記時間間隔に変更する指令信号を前記端末装置に送信する設定手段として機能させるための情報処理プログラム。
【発明の効果】
【０００８】
請求項１、２、８、９に係る発明によれば、取得手段が通信する時間間隔が一定の場合と比較して消費電力を抑制することができる。
請求項３に係る発明によれば、取得手段が通信する時間間隔及び加速度取得手段が取得する時間間隔が一定の場合と比較して消費電力を抑制することができる。
請求項４に係る発明によれば、加速度センサを有していなくても、自装置の移動に関する情報を取得することができる。
請求項５に係る発明によれば、領域の属性に応じた時間間隔に設定することができる。
請求項６に係る発明によれば、受信手段が受信する時間間隔、送信手段が送信する時間間隔、及び取得手段が通信する時間間隔が一定の場合と比較して消費電力を抑制することができる。
請求項７に係る発明によれば、受信手段が受信する時間間隔、送信手段が送信する時間間隔、取得手段が通信する時間間隔、加速度取得手段が取得する時間間隔が一定の場合と比較して消費電力を抑制することができる。
【図面の簡単な説明】
【０００９】
【図１】図１は、本発明の第１の実施の形態に係る情報管理システムの構成例を示す図である。
【図２】図２は、サーバ装置の制御系の一例を示すブロック図である。
【図３】図３は、ユーザ端末装置の制御系の一例を示すブロック図である。
【図４】図４は、時間間隔情報の一例を示す図である。
【図５】図５（ａ）〜（ｃ）は、設定情報の一例を示す図である。
【図６】図６は、オフィスの管理エリアの一例を示す図である。
【図７】図７は、ユーザ端末装置の動作の一例を示すフローチャートである。
【図８】図８は、本発明の第２の実施の形態に係るユーザ端末装置の制御系の一例を示すブロック図である。
【図９】図９は、本発明の第３の実施の形態に係る情報管理システムの構成例を示す図である。
【図１０】図１０は、第３の実施の形態に係るサーバ装置の制御系の一例を示すブロック図である。
【図１１】図１１は、第３の実施の形態に係るユーザ端末装置の制御系の一例を示すブロック図である。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
［第１の実施の形態］
図１は、本発明の第１の実施の形態に係る情報管理システムの構成例を示す図である。
【００１２】
この情報管理システム１は、各領域に設置され、ビーコン信号２ａを発信する複数のビーコン発信機２と、ユーザ端末装置４の位置に関する情報を収集するサーバ装置３と、ビーコン発信機２から発信されたビーコン信号２ａを受信するとともに、サーバ装置３との間でネットワーク５を介して通信する複数（同図では１つ）のユーザ端末装置４とを備える。サーバ装置３は、外部の一例である。ユーザ端末装置４は、情報処理装置の一例である。
【００１３】
ビーコン発信機２は、自己を識別する機器ＩＤを含むビーコン信号２ａを、例えば１秒程度の間隔で連続的に発信する。ビーコン信号２ａとしては、例えばBluetooth Low Energy（以下、ＢＬＥという。Bluetoothは登録商標）規格やWi-Fi（wireless fidelity）規格に準拠した信号を用いることができる。ビーコン発信機２は、オフィス等の管理エリア内の部屋、通路、エレベータ、階段等の各エリアに設定された各領域にそれぞれ１つ設置されている。また、１つのエリアには、１つの領域が設定される場合もあれば、複数の領域が設定される場合もある。ＧＰＳ（Global Positioning System）衛生からの電波は屋内や地下には届かないが、屋外や地下に設定されたビーコン発信機２からのビーコン信号であれば、屋内や地下でも数十ｃｍ〜数ｍレベルで位置を特定することが可能になる。
【００１４】
サーバ装置３は、ユーザ端末装置４から送信されるビーコン情報４ａを受信するとともに、ユーザ端末装置４から位置情報要求信号４ｂを受信すると、ユーザ端末装置４の位置を示す位置情報３ａをユーザ端末装置４に送信する。
【００１５】
ユーザ端末装置４は、ユーザが携帯する通信移動端末であり、例えばパーソナルコンピュータ、タブレット型コンピュータ、多機能電話機（スマートフォン）、携帯電話機等を用いることができる。ユーザ端末装置４は、設定された受信間隔でビーコン信号２ａを受信し、ビーコン信号２ａを受信すると、ビーコン信号２ａに含まれる機器ＩＤ、及び受信したビーコン信号２ａの信号強度を含むビーコン情報４ａを設定された送信間隔でサーバ装置３に送信する。また、ユーザ端末装置４は、設定された送信間隔で位置情報要求信号４ｂをサーバ装置３に送信する。また、ユーザ端末装置４は、自装置に作用する加速度を設定された取得間隔で取得する。なお、ｉBeacon（登録商標）のように、ビーコン信号２ａの信号強度の代わりにビーコン発信機２からの距離情報（例えば、遠い、近い、非常に近い）を用いてもよい。
【００１６】
ネットワーク５は、有線通信及び無線通信等によりデータの送受信を行うＬＡＮ（ローカルエリアネットワーク）、インターネット等の通信網である。
【００１７】
（サーバ装置の構成）
図２は、サーバ装置３の制御系の一例を示すブロック図である。サーバ装置３は、サーバ装置３の各部を制御する制御部３０と、各種の情報を記憶する記憶部３１と、ユーザ端末装置４との間でネットワーク５を介して通信を行う通信部３２とを備える。
【００１８】
記憶部３１は、ＲＯＭ（Read Only Memory）、ＲＡＭ（Random Access Memory）等で実現され、プログラム３１０、発信機位置情報３１１等を記憶する。
【００１９】
発信機位置情報３１１は、ビーコン発信機２が設置されている領域の識別情報（以下「領域ＩＤ」ともいう。）と当該ビーコン発信機２の機器ＩＤとが関係付けられた情報である。
【００２０】
制御部３０は、ＣＰＵ（Central Processing Unit）、インターフェース等から構成されている。ＣＰＵは、記憶部３１に記憶されているプログラム３１０に従って動作することにより位置特定手段３００等として機能する。
【００２１】
位置特定手段３００は、ユーザ端末装置４から位置情報要求信号４ｂを受信すると、ユーザ端末装置４から送信されたビーコン情報４ａに基づいてユーザ端末装置４が存在する位置、例えば、ビーコン発信機２が設置されている領域を特定する。具体的には、位置特定手段３００は、直近にユーザ端末装置４から送信されたビーコン情報４ａに含まれる機器ＩＤに対応する領域ＩＤを、記憶部３１が記憶する発信機位置情報３１１から抽出し、抽出した領域ＩＤを位置情報３ａとしてユーザ端末装置４に送信する。また、位置特定手段３００は、同時に複数のビーコン情報４ａを受信した場合には、受信した複数のビーコン情報４ａのうち信号強度が最も大きいビーコン情報４ａに基づいてビーコン発信機２が設置されている領域を特定する。領域ＩＤは、位置情報の一例である。なお、位置情報は、経度、緯度の情報でもよい。
【００２２】
（ユーザ端末装置の構成）
図３は、ユーザ端末装置４の制御系の一例を示すブロック図である。ユーザ端末装置４は、ユーザ端末装置４の各部を制御する制御部４０と、各種の情報を記憶する記憶部４１と、情報の入力及び表示を行う操作表示部４２と、ユーザ端末装置４に作用する加速度を測定する加速度センサ４３と、ビーコン発信機２から発信されたビーコン信号２ａを受信する近距離無線通信部４４と、サーバ装置３との間でネットワーク５を介して無線通信を行う広域無線通信部４５とを備える。
【００２３】
記憶部４１は、ＲＯＭ（Read Only Memory）、ＲＡＭ（Random Access Memory）等で実現され、情報処理プログラム４１０、時間間隔情報４１１、設定情報４１２、ユーザＩＤ４１３等を記憶する。
【００２４】
時間間隔情報４１１は、領域ＩＤ及びユーザ端末装置４の状態（動状態又は静状態）ごとに設定すべき時間間隔が登録された情報である。ユーザ端末装置４の状態は、自装置の移動に関する情報の一例である。
【００２５】
設定情報４１２は、加速度の取得間隔、ビーコン信号２ａの受信間隔、ビーコン情報４ａの送信間隔、位置情報要求信号４ｂの送信間隔の制御対象ごとに設定された時間間隔の情報である。
【００２６】
ユーザＩＤ４１３は、ユーザ端末装置４を携帯するユーザの識別情報である。なお、ユーザＩＤ４１３の代わりにユーザ端末装置４に固有の装置ＩＤを用いてもよい。
【００２７】
操作表示部４２は、液晶ディスプレイ等の表示部にタッチパネルが重合配置されたタッチパネルディスプレイを有し、操作画面を表示部に表示するとともに、操作者からタッチパネルへの操作を受け付ける。
【００２８】
加速度センサ４３は、例えば、ユーザ端末装置４に作用する３軸方向の加速度を測定することが可能な３軸加速度センサである。加速度センサ４３は、操作表示部４２の画面に垂直な方向の加速度、操作表示部４２の画面の左右方向に平行な方向の加速度、操作表示部４２の画面の上下方向に平行な方向の加速度を測定する。
【００２９】
近距離無線通信部４４は、例えば、Bluetooth（登録商標）、Wi-Fi（Wireless Fidelity）等を用いた無線通信を行う。広域無線通信部４５は、例えば、Wi-Fi（Wireless Fidelity）等の無線ＬＡＮ（Local Area Network）や、ＬＴＥ（Long Term Evolution）等を用いた無線通信を行う。
【００３０】
制御部４０は、ＣＰＵ（Central Processing Unit）、インターフェース等から構成されている。ＣＰＵは、記憶部４１に記憶された情報処理プログラム４１０に従って動作することにより、ビーコン信号受信手段４００、ビーコン情報送信手段４０１、位置情報取得手段４０２、加速度取得手段４０３、状態判定手段４０４、時間間隔設定手段４０５等として機能する。
【００３１】
ビーコン信号受信手段４００は、ビーコン発信機２が発信するビーコン信号２ａを設定情報４１２として設定された受信間隔で受信するとともに、受信したビーコン信号２ａの信号強度を検出する。
【００３２】
ビーコン情報送信手段４０１は、ビーコン信号受信手段４００が受信したビーコン信号２ａに含まれる機器ＩＤ、及びビーコン信号受信手段４００が検出したビーコン信号２ａの信号強度を含むビーコン情報４ａを設定情報４１２として設定された送信間隔でサーバ装置３に送信する。
【００３３】
位置情報取得手段４０２は、設定された時間間隔で外部と通信することにより自装置の位置を示す位置情報３ａを取得する。すなわち、位置情報取得手段４０２は、設定情報４１２として設定された時間間隔で位置情報要求信号４ｂをサーバ装置３に送信し、その応答としてサーバ装置３から送信された位置情報３ａを取得する。
【００３４】
加速度取得手段４０３は、設定情報４１２として設定された取得間隔で加速度センサ４３から３軸方向の加速度を取得する。
【００３５】
状態判定手段４０４は、加速度取得手段４０３が取得した３軸方向の加速度のうち最も大きい加速度と閾値とを比較し、加速度が閾値以上のときは、ユーザ端末装置４は動状態（ユーザが動いている状態）にあると判定し、加速度が閾値未満のときは、ユーザ端末装置４は静状態（ユーザが静止している状態）にあると判定する。
【００３６】
時間間隔設定手段４０５は、位置情報取得手段４０２が取得した位置情報３ａに含まれる領域ＩＤ、及び状態判定手段４０４が判定したユーザ端末装置４の状態（動状態又は静状態）に基づいて、ビーコン信号受信手段４００のビーコン信号２ａの受信間隔、ビーコン情報送信手段４０１のビーコン情報４ａの送信間隔、位置情報取得手段４０２の位置情報要求信号４ｂの送信間隔、及び加速度取得手段４０３の加速度の取得間隔を、記憶部４１の時間間隔情報４１１を参照して領域ＩＤ及びユーザ端末装置４の状況に対応する時間間隔に変更して設定する。受信間隔、送信間隔、取得間隔は、それぞれ時間間隔の一例である。
【００３７】
図４は、ユーザ端末装置４の記憶部４１が記憶する時間間隔情報４１１の一例を示す図である。図４に示す時間間隔情報４１１は、例えば、加速度の取得間隔、及び位置情報要求信号４ｂの送信間隔に関するものである。時間間隔情報は、ビーコン信号２ａの受信間隔、及びビーコン情報４ａの送信間隔の各制御対象についてもそれぞれ設けられている。なお、時間間隔情報４１１は、加速度の取得間隔、ビーコン信号２ａの受信間隔、ビーコン情報４ａの送信間隔、及び位置情報要求信号４ｂの送信間隔の制御対象に対して共通に設けてもよい。なお、図４に示す時間間隔情報４１１を制御対象に対して共通に設け、時間間隔を示す後述する「長」、「中」、「短」に対応する値を制御対象に対応して変えてもよい。時間間隔情報４１１には、領域ＩＤ欄４１１ａ、通信状況欄４１１ｂ、用途欄４１１ｃ、状態欄４１１ｄが設けられている。
【００３８】
領域ＩＤ欄４１１ａには、ビーコン発信機２が設置された領域を示す領域ＩＤのＥ１、Ｅ２、・・・が登録されている。
【００３９】
通信状況欄４１１ｂには、通信の安定性を示す「高」、「中」、「低」の通信状況が登録されている。「高」は、例えば、周りに壁があり、ビーコン信号２ａの混線具合が低いことから、通信状況が高いことを示している。「低」は、例えば、周りに壁がなく、ビーコン信号２ａの混線具合が高いことから、通信状況が低いことを示している。「中」は、「高」と「低」の中間の通信状況を示している。
【００４０】
用途欄４１１ｃには、領域の用途が登録されている。「滞留性」はユーザが留まる傾向があることを意味し、「移動性」はユーザが移動する傾向があることを意味している。通信状況及び用途の情報は、領域の属性情報の一例である。
【００４１】
状態欄４１１ｄのうち、「静」はユーザ端末装置４が静状態にあり、「動」はユーザ端末装置４が動状態にあることを意味している。状態欄４１１ｄには、長い時間間隔の値を意味する「長」、短い時間間隔の値を意味する「短」、「長」と「短」の中間の時間間隔の値を意味する「中」が登録されている。具体的には、例えば、「短」、「中」、「長」は、それぞれ１秒、１０秒、３０秒の値を意味する。
【００４２】
（情報管理システムの動作）
次に、情報管理システム１の動作の一例について図４から図７を参照して説明する。図７は、ユーザ端末装置４の動作の一例を示すフローチャートである。
【００４３】
図５は、設定情報４１２の一例を示す図である。ユーザ端末装置４の情報処理プログラム４１０を起動した際は、ユーザ端末装置４の記憶部４１には、図５（ａ）に示す設定情報４１２が記憶されているものとする。すなわち、ユーザ端末装置４の情報処理プログラム４１０を起動した際は、加速度の取得間隔は「短」、ビーコン信号２ａの受信間隔は「短」、ビーコン情報４ａの送信間隔は「短」、位置情報要求信号４ｂの送信間隔は「短」に設定されているものとする。
【００４４】
図６は、オフィスの管理エリアの一例を示す図である。図６に示す管理エリアには、会議室Ａ〜Ｄ、エレベータ、通路、階段、デスクスペースの各エリアに各領域が設定されている。通路及びデスクスペースのエリアには、それぞれ複数の領域が設定されている。図６中、Ｅ１〜Ｅ３３は、領域ＩＤの一例である。図６に示す各領域ＩＤのＥ１〜Ｅ３３の領域には、ビーコン発信機２が１つずつ設置されているが、図６ではビーコン発信機２の図示を省略している。
【００４５】
ユーザがユーザ端末装置４を携帯して図６に示すデスクスペースの領域Ｅ３３からＥ１で示す会議室Ａに向かう場合について説明する。図４に示す時間間隔情報４１１は、加速度の取得間隔、ビーコン信号２ａの受信間隔、ビーコン情報４ａの送信間隔、及び位置情報要求信号４ｂの送信間隔の各制御対象に対してそれぞれ設けられているものとする。
【００４６】
（１）ビーコン信号の受信、ビーコン情報の送信
ビーコン信号受信手段４００は、ビーコン発信機２が発信するビーコン信号２ａを設定された受信間隔（例えば、１秒）で近距離無線通信部４４により受信し、受信したビーコン信号２ａの信号強度を検出する（Ｓ１）。
【００４７】
ビーコン情報送信手段４０１は、ビーコン信号受信手段４００が受信したビーコン信号２ａに含まれる機器ＩＤ、及びビーコン信号受信手段４００が検出したビーコン信号２ａの信号強度を含むビーコン情報４ａをユーザＩＤ４１３とともに設定された送信間隔（例えば、１秒）で広域無線通信部４５によりネットワーク５を介してサーバ装置３に送信する（Ｓ２）。
【００４８】
（２）位置情報の取得
位置情報取得手段４０２は、設定された送信間隔（例えば、１秒）で位置情報要求信号４ｂをユーザＩＤ４１３とともに広域無線通信部４５によりネットワーク５を介してサーバ装置３に送信する（Ｓ３）。
【００４９】
サーバ装置３の位置特定手段３００は、位置情報要求信号４ｂを受信すると、直近に同一のユーザＩＤ４１３を有するユーザ端末装置４から送信されたビーコン情報４ａに含まれる機器ＩＤ及びビーコン信号２ａの信号強度に基づいてユーザ端末装置４の位置を特定する。すなわち、ビーコン情報４ａに含まれる機器ＩＤに対応する領域ＩＤを、記憶部３１が記憶する発信機位置情報３１１から抽出し、抽出した領域ＩＤを位置情報３ａとしてユーザ端末装置４に送信する。ユーザ端末装置４の位置情報取得手段４０２は、サーバ装置３から送信された位置情報３ａを取得する（Ｓ４）。位置情報取得手段４０２は、取得した位置情報３ａを記憶部４１に一時的に記憶する。
【００５０】
（３）加速度の取得
加速度取得手段４０３は、設定された取得間隔（例えば、１秒）で加速度センサ４３から３軸方向の加速度を取得する。加速度取得手段４０３は、取得した加速度を記憶部４１に一時的に記憶する。状態判定手段４０４は、加速度取得手段４０３が取得し、記憶部４１に一時的に記憶された３軸方向の加速度のうち最も大きい加速度と閾値とを比較し、加速度が閾値以上のときは、ユーザ端末装置４は動状態にあると判定し、加速度が閾値未満のときは、ユーザ端末装置４は静状態にあると判定する（Ｓ５）。
【００５１】
（４）時間間隔の設定
時間間隔設定手段４０５は、位置情報取得手段４０２が取得した位置情報３ａ、及び状態判定手段４０４が判定したユーザ端末装置４の状態に基づいて、時間間隔情報４１１を参照して記憶部４１に記憶されている設定情報４１２の時間間隔を変更する必要があるか否かを判断する（Ｓ６）。時間間隔設定手段４０５は、時間間隔を変更する必要があると判断すると（Ｓ６：Ｙｅｓ）、記憶部４１に記憶された設定情報４１２の時間間隔を変更して設定する。
【００５２】
例えば、ユーザが図６に示す領域ＩＤのＥ１の会議室Ａに到達したばかりのときは、図４に示すように、まだユーザが会議室Ａの中を動いているために自装置が動状態にあり、加速度の取得間隔、及び位置情報要求信号４ｂの送信間隔を「中」に設定すべきことが分かる。この場合、時間間隔設定手段４０５は、例えば、図５（ｂ）に示すように、加速度の取得間隔を「中」、位置情報要求信号４ｂの送信間隔を「中」に変更して設定する。ビーコン信号２ａの受信間隔、及びビーコン情報４ａの送信間隔については「短」のままとする。
【００５３】
ユーザが図６に示す領域ＩＤのＥ１の会議室Ａのある席に着くと、図４に示すように、ユーザが静止しているために自装置が静状態にあり、加速度の取得間隔、及び位置情報要求信号４ｂの送信間隔を「長」に設定すべきことが分かる。この場合、時間間隔設定手段４０５は、例えば、図５（ｃ）に示すように、加速度の取得間隔を「長」、ビーコン信号２ａの受信間隔を「中」、ビーコン情報４ａの送信間隔を「中」、位置情報要求信号４ｂの送信間隔を「長」に変更して設定する。
【００５４】
［第２の実施の形態］
図８は、本発明の第２の実施の形態に係るユーザ端末装置の制御系の一例を示すブロック図である。第１の実施の形態では、加速度センサ４３が測定した加速度を加速度取得手段４０３が取得し、その取得された加速度に基づいて状態判定手段４０４がユーザ端末装置４の状態を判定したが、本実施の形態は、加速度センサ４３及び加速度取得手段４０３を用いずにユーザ端末装置４の状態を判定するものであり、他は第１の実施の形態と同様に構成されている。以下、第１の実施の形態と異なる点を中心に説明する。
【００５５】
本実施の形態の状態判定手段４０４は、サーバ装置３から繰り返し位置情報３ａを受信すると、２つの位置情報３ａが示す自装置の位置（ビーコン発信機２の設置位置）の単位時間当たりの変化（速度）を求め、求めた速度と閾値とを比較し、速度が閾値以上のときは、ユーザ端末装置４は動状態にあると判定し、速度が閾値未満のときは、ユーザ端末装置４は静状態にあると判定する。
【００５６】
［第３の実施の形態］
図９は、本発明の第３の実施の形態に係る情報管理システムの構成例を示す図である。第１の実施の形態では、時間間隔をユーザ端末装置４が決めていたが、本実施の形態はサーバ装置３が決めるようにしたものであり、他は第１の実施の形態と同様に構成されている。以下、第１の実施の形態と異なる点を中心に説明する。
【００５７】
この情報管理システム１は、第１の実施の形態と同様に、各領域に設置された複数のビーコン発信機２と、サーバ装置３と、サーバ装置３との間でネットワーク５を介して通信する複数のユーザ端末装置４とを備える。
【００５８】
ユーザ端末装置４は、設定された受信間隔でビーコン信号２ａを受信し、ビーコン信号２ａを受信すると、ビーコン信号２ａに含まれる機器ＩＤ、及び受信したビーコン信号２ａの信号強度を含むビーコン情報４ａを設定された送信間隔でサーバ装置３に送信する。また、ユーザ端末装置４は、設定された送信間隔で変更情報要求信号４ｃをサーバ装置３に送信する。本実施の形態の場合、ユーザ端末装置４は位置情報要求信号４ｂをサーバ装置３に送信しない。
【００５９】
サーバ装置３は、ユーザ端末装置４から送信されるビーコン情報４ａを受信するとともに、ユーザ端末装置４から変更情報要求信号４ｃを受信すると、変更情報３ｂをユーザ端末装置４に送信する。変更情報３ｂには、例えば、ビーコン信号２ａの受信間隔、ビーコン情報４ａの送信間隔、変更情報要求信号４ｃの送信間隔を「短」、「中」、「長」のいずれかにすべきかの情報が含まれる。
【００６０】
（サーバ装置の構成）
図１０は、第３の実施の形態に係るサーバ装置３の制御系の一例を示すブロック図である。サーバ装置３は、第１の実施の形態と同様に、制御部３０、記憶部３１及び通信部３２を備える。
【００６１】
記憶部３１は、ＲＯＭ、ＲＡＭ等で実現され、情報処理プログラム３１０ａ、発信機位置情報３１１の他に、図４に示す時間間隔情報４１１等を記憶する。
【００６２】
制御部３０のＣＰＵは、記憶部３１に記憶されている情報プログラム３１０ａに従って動作することにより位置特定手段３００、状態判定手段３０１、変更情報送信手段３０２等として機能する。
【００６３】
位置特定手段３００は、ユーザ端末装置４から送信されたビーコン情報４ａに基づいてユーザ端末装置４が存在する位置、すなわちビーコン発信機２が設置されている領域を特定する。
【００６４】
状態判定手段３０１は、位置特定手段３００が特定したユーザ端末装置４が存在する位置の単位時間当たりの変化（速度）を求め、速度が閾値以上のときは、ユーザ端末装置４は動状態にあると判定し、速度が閾値未満のときは、ユーザ端末装置４は静状態にあると判定する。
【００６５】
変更情報送信手段３０２は、位置特定手段３００が特定した位置、及び状態判定手段３０１が判定したユーザ端末装置４の状態に基づいて時間間隔情報４１１を参照し、変更すべき時間間隔の情報を取得し、変更情報３ｂとしてユーザ端末装置４に送信する。
【００６６】
（ユーザ端末装置の構成）
図１１は、第３の実施の形態に係るユーザ端末装置４の制御系の一例を示すブロック図である。ユーザ端末装置４は、第１の実施の形態と同様に、制御部４０、記憶部４１、操作表示部４２、近距離無線通信部４４、及び広域無線通信部４５を備える。加速度センサ４３は備えていない。
【００６７】
記憶部４１は、情報処理プログラム４１０、設定情報４１２、ユーザＩＤ４１３等を記憶するが、時間間隔情報４１１は記憶していない。
【００６８】
制御部４０のＣＰＵは、記憶部４１に記憶された情報処理プログラム４１０に従って動作することにより、ビーコン信号受信手段４００、ビーコン情報送信手段４０１、変更情報取得手段４０６、時間間隔設定手段４０５等として機能する。なお、本実施の形態の制御部４０は、位置情報取得手段４０２、加速度取得手段４０３、状態判定手段４０４として機能しない。
【００６９】
変更情報取得手段４０６は、サーバ装置３から送信された変更情報３ｂを取得する。
【００７０】
時間間隔設定手段４０５は、変更情報取得手段４０６が取得した変更情報３ｂに従って、ビーコン信号受信手段４００のビーコン信号２ａの受信間隔、ビーコン情報送信手段４０１のビーコン情報４ａの送信間隔、又は変更情報要求信号４ｃの送信間隔を変更して設定する。
【００７１】
［変形例］
以上、本発明の実施の形態を説明したが、本発明は上記実施の形態に限定されるものではなく、本発明の要旨を変更しない範囲内で種々の変形、実施が可能である。例えば、第１及び第２の実施の形態では、ユーザ端末装置４からサーバ装置３にビーコン情報４ａ及び位置情報要求信号４ｂを別々に送信していたが、機器ＩＤ及び信号強度を含む位置情報要求信号をサーバ装置３に送信してもよい。これと同様に、第３の実施の形態では、ユーザ端末装置４からサーバ装置３にビーコン情報４ａ及び変更情報要求信号４ｃを別々に送信していたが、機器ＩＤ及び信号強度を含む変更情報要求信号をサーバ装置３に送信してもよい。
【００７２】
また、上記実施の形態では、情報処理装置としてユーザが携帯するユーザ端末装置について説明したが、荷物を運搬するカート等の運搬具や駆動力を備えた移動装置に付けられた端末装置でもよい。この場合、操作表示部４２を備えていなくてもよい。
【００７３】
また、本発明の要旨を変更しない範囲内で、構成要素の一部を省いてもいいし、各実施の形態間で構成要素を組み合わせることも可能である。例えば、ユーザ端末装置４の状態を判定せずにビーコン発信機２が設置される領域の属性（通信状況、用途等の情報）に基づいて時間間隔を設定してもよい。
【００７４】
また、本発明の要旨を変更しない範囲内で、実施の形態のフローにおいて、ステップの追加、削除、変更、入替え等が可能である。例えば、図７に示すフローチャートにおいて、状態判定（Ｓ５）を位置情報取得（Ｓ４）と並行して、又は位置情報取得（Ｓ４）よりも先に行ってもよい。
【００７５】
また、制御部３０、４０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。また、上記実施の形態で用いたプログラムをＣＤ−ＲＯＭ等のコンピュータ読み取り可能な記録媒体に記録して提供することもできる。
【符号の説明】
【００７６】
１…情報管理システム、２…ビーコン発信機、２ａ…ビーコン信号、
３…サーバ装置、３ａ…位置情報、３ｂ…変更情報、４…ユーザ端末装置、
４ａ…ビーコン情報、４ｂ…位置情報要求信号、４ｃ…変更情報要求信号、
５…ネットワーク、３０…制御部、３１…記憶部、３２…通信部、４０…制御部、
４１…記憶部、４２…操作表示部、４３…加速度センサ、４４…近距離無線通信部、
４５…広域無線通信部、３００…位置特定手段、３０１…状態判定手段、
３０２…変更情報送信手段、３１０、３１０ａ…プログラム、
３１１…発信機位置情報、４００…ビーコン信号受信手段、
４０１…ビーコン情報送信手段、４０２…位置情報取得手段、
４０３…加速度取得手段、４０４…状態判定手段、４０５…時間間隔設定手段、
４１０…情報処理プログラム、４１１…時間間隔情報、４１１ａ…領域ＩＤ欄、
４１１ｂ…通信状況欄、４１１ｃ…用途欄、４１１ｄ…状態欄、
４１２…設定情報、４１３…ユーザＩＤ、Ｅ１〜Ｅ３３…領域ＩＤ
【図１】
2018026637.tif 000003
【図２】
2018026637.tif 000004
【図３】
2018026637.tif 000005
【図４】
2018026637.tif 000006
【図５】
2018026637.tif 000007
【図６】
2018026637.tif 000008
【図７】
2018026637.tif 000009
【図８】
2018026637.tif 000010
【図９】
2018026637.tif 000011
【図１０】
2018026637.tif 000012
【図１１】
2018026637.tif 000013